Podtech/llm-jp-corpus-v4-ja_patent huggingface dataset:
【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】  ケーシング（１）とドア（２）とを有するポータブルデータプレーヤ及び／又はレコーダにおいて、前記ドア（２）が軸線ＡＡ′を中心に旋回可能に前記ケーシング（１）に取り付けられており、前記軸線ＡＡ′が第１の方向と第２の方向とを規定しており、ドア（２）とケーシング（１）とが、相対的に、少なくとも２つの角度位置範囲、すなわちドア（２）が広く開放している第１の位置範囲及びドア（２）が開放している第２の位置範囲と、閉鎖位置とを占めることができ、該閉鎖位置が、ドア（２）が前記ケーシング（１）の開口（４）を閉鎖する位置であり、
第１の角度位置範囲において、ドア（２）が、軸線ＡＡ′に沿って第１の方向に、ドア（２）の第１の肩部（１４，１５，２２）がケーシング（１）の第１の肩部（１９，２０，２１）に当接する第１の軸方向位置にまでスライドすることができ、
第１の角度位置範囲において、前記ドア（２）が、軸線ＡＡ′に沿って第２の軸方向に、ドア（２）とケーシング（１）とが互いに解離させられる第２の軸方向位置にまでスライドすることができ、
第２の角度位置範囲でかつ第１の軸方向位置において、ドア（２）の第２の肩部（１８，１８′）がケーシング（１）の第２の肩部（１１）に当接し、これにより、ドア（２）が軸線ＡＡ′に沿って第２の方向に移動することを防止するようになっていることを特徴とする、ポータブルデータプレーヤ及び／又はレコーダ。
【請求項２】  前記ケーシング（１）とドア（２）とには、ドア（２）をケーシング（１）に取り付けるためにヒンジ（７，８）又はブラケット（１６，１７）が設けられており、前記ヒンジ（７，８）が、ケーシング（１）の第１の凹所（５，６）の、第１の肩部である面（１９，２０）から突出したシャフトとして形成されており、前記ブラケット（１６，１７）が、ドア（２）の主面（１２）から外方へ突出した第１のリブ（１４，１５）の孔として形成されている、請求項１記載のポータブルデータプレーヤ及び／又はレコーダ。
【請求項３】  前記ドア（２）の第２の肩部（１８）が、前記ドア（２）の主面（１２）から突出した第２のリブ（１８）として形成されており、ケーシングの第２の肩部が、孔（１０）の面（１１）として形成されている、請求項１又は２記載のポータブルデータプレーヤ及び／又はレコーダ。
【請求項４】  前記ドア（２）又はケーシング（１）のうち一方に突起（２４）が設けられており、他方に第３の肩部（１１）において凹所（２３）が設けられており、該凹所の寸法が、突起（２４）が凹所（２３）に嵌合することができるようになっており、突起（２４）が、開放位置範囲の少なくとも一部において第３の肩部（１１）に当接するようになっており、前記突起（２４）が、開放位置のうちの１つにおいて第３の肩部の前記凹所（２３）に突入する位置にある、請求項１から３までのいずれか１項記載のポータブルデータプレーヤ及び／又はレコーダ。
【請求項５】  前記第３の肩部（１１）が、ケーシング（１）に設けられた孔（１０）の面（１１）であり、前記突起（２４）が、前記面（１１）から外方へ突出した延長部であり、前記凹所（２３）が、ドア（２）の主面（１２）からケーシング（１）の内部に向かって外方へ突出した第３のリブ（１８）に配置されている、請求項１から３までのいずれか１項記載のポータブルデータプレーヤ及び／又はレコーダ。
【請求項６】  ドア（２）の第３及び第２の肩部が、同じリブ（１８）である、請求項５記載のポータブルデータプレーヤ及び／又はレコーダ。
【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  オス型ルアーチップ（１８）とのシールされた接続を確立するためのコネクタデバイス（４００）であって、該コネクタデバイスは、以下：
該オス型ルアーチップを受容するための開口部と、該開口部から延びる中央通路とを備えるハウジング（４１８）；
該ハウジングに対して弾力的に拘束された再シール可能なバルブ（４０２）であって、該バルブが、該開口部の周囲にシールして延びる放射状部分（４０４）と、該放射状部分から延びる部分とを備え、かつ該ハウジングにシール可能に付着する縁部と、バルブ開口部（４１４）を備え、そして
該コネクタデバイスが、ＩＳＯ標準に適合するように構成されるオス型ルアーチップとのシールされた接続を確立するために適合されること、ならびに該バルブが、該ルアーチップが該バルブを通って挿入されたときに、該放射状部分および該延長部分が該ルアーチップの周囲に弾性的に延びて、流体が該バルブと該ハウジングとの間の空間に流れ得ないようにシールされた流路を提供するように適合されること、により特徴付けられる、コネクタデバイス。
【請求項２】  前記ハウジング（４１８）が、第１の部分（４２０）と、該第１の部分に付着し得る第２の部分（４２４）を備える、請求項１に記載のコネクタデバイス。
【請求項３】  前記延長部分が、円錐形状の管状部分（４１０）を備える、請求項１または２に記載のコネクタデバイス。
【請求項４】  前記ハウジングにシール可能に付着する前記縁部が、前記円錐形状の管状部分（４１０）の縁部（４１７）である、請求項３に記載のコネクタデバイス。
【請求項５】  前記ハウジング（４１８）にシール可能に付着する前記縁部が、該ハウジングの前記第１の部分（４２０）と前記第２の部分（４２４）との間にクランプされる、請求項２〜４のいずれか１項に記載のコネクタデバイス。
【請求項６】  前記バルブ（４０２）が、前記ハウジング（４１８）に対して前記放射状部分（４０４）を弾性的に保持する環状スカート（４０８）をさらに含む、請求項１〜５のいずれか１項に記載のコネクタデバイス。
【請求項７】  前記環状スカート（４０８）が、前記ハウジング（４１８）の内部表面に付着される、請求項６に記載のコネクタデバイス。
【請求項８】  前記環状スカート（４０８）が、前記ハウジング（４１８）の外部表面に付着される、請求項６に記載のコネクタデバイス。
【請求項９】  前記バルブ開口部（４１４）が、前記放射状部分（４０４）および前記延長部分を通って、少なくとも部分的に円錐形状の管状部分（４１０）によって規定されるチャンバ（４１６）へ下方向に延びる、請求項３〜８のいずれか１項に記載のコネクタデバイス。
【請求項１０】  前記バルブ（４０２）の前記円錐形状の管状部分（４１０）と前記ハウジング（４１８）の前記第１の部分（４２０）との間のボイド（４５６）の中に配置される圧潰部材（４５２）をさらに備える、請求項３〜９のいずれか１項に記載のコネクタデバイス。
【請求項１１】  前記圧潰部材（４５２）が、対向する内向きのランディング（４５８）を備え、該ランディングは、前記バルブ（４０２）の前記円錐形状の管状部分（４１０）の反対側に配置され、そして該円錐形状の管状部分を圧潰するように該円錐形状の管状部分に係合され、それによって、前記チャンバ（４１６）の容積が低下する、請求項１０に記載のコネクタデバイス。
【請求項１２】  前記ランディング（４５８）は、外側方向に角度の付いた脚（４６４）で弾力的に支持され、前記ルアーチップ（１８）が前記バルブ（４０２）を通って挿入されたときに、該ルアーチップが該ランディングを外向きに圧し、該脚を曲げて、その結果、該ルアーチップがチャンバ（４１６）を規定する下で該脚が該ランディングおよび前記バルブの前記円錐形状の管状部分（４１０）とほぼ整列するようになる、請求項１１に記載のコネクタデバイス。
【請求項１３】  前記ハウジング（４１８）の前記第１の部分（４２０）が、該ハウジングに沿って下向きに延びるダブルスタートのねじ山のセットを含む、請求項１〜１２のいずれか１項に記載のコネクタデバイス。
【請求項１４】  前記ねじ山が、前記ハウジング（４１８）の外側に沿って延びる、請求項１３に記載のコネクタデバイス。
【請求項１５】  前記ハウジング（４１８）の前記第２の部分（４２４）が、医療用デバイスへの接続を確立するように構成される、請求項２〜１４のいずれか１項に記載のコネクタデバイス。
【請求項１６】  前記ハウジング（４１８）が剛性である、請求項１〜１５に記載のコネクタデバイス。
【請求項１７】  前記延長部分が、ほぼ矩形の構成を有する前記放射状部分（４０４）に直接隣接するセクションを含む、請求項１〜１６のいずれか１項に記載のコネクタデバイス。
【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  試料中の目標粒子の濃縮、または目標粒子に関する試料の希薄化を作り出すために試料から選択されたタイプの目標粒子を磁気的に分離する方法であって、その方法が：
前記目標粒子を磁気的に染色する選択的親和性を持つ磁気粒子と前記試料との試料混合物を作る；
緩衝液源に連結可能な入口と緩衝液のための出口を含むチューブを通して緩衝液を供給する；
前記試料混合物を緩衝液中に、両者が前記チューブを通して供給されるとき緩衝液が前記試料混合物のための連続液体キャリヤを形成するように導入する；及び
磁気化ステーションにおいて前記チューブを横切って磁界を適用し、そこで磁気的に染色された目標粒子を分離させて磁気化ステーションのチューブ内の緩衝液中に保持させる；
ことを含むことを特徴とする方法。
【請求項２】  前記試料混合物がチューブの入口端と前記磁気化ステーションの間の位置で前記緩衝液中に導入されることを特徴とする請求項１に記載の方法。
【請求項３】  前記試料混合物中の磁気粒子により磁気的に染色され、分離され、かつ磁気化ステーションのチューブ内の緩衝液内に保持される目標粒子が引続いて前記試料混合物の緩衝液中への導入、及びチューブを横切る磁界の適用を停止することによりチューブから除去され、一方緩衝液がチューブを通して供給されこの緩衝液で前記磁気的に染色された目標粒子をフラッシュアウトすることを特徴とする請求項１に記載の方法。
【請求項４】  前記緩衝液及び試料混合物が前記チューブを通して受け容器中に重力供給されることを特徴とする請求項１に記載の方法。
【請求項５】  前記緩衝液及び試料混合物の前記受け容器中への供給を制御するために減圧が前記受け容器に適用されることを特徴とする請求項４に記載の方法。
【請求項６】  前記緩衝液及び試料混合物の前記受け容器中への供給を制御するために正圧が前記チューブに適用されることを特徴とする請求項４に記載の方法。
【請求項７】  前記目標粒子が前記試料中の選択された生物細胞であることを特徴とする請求項１に記載の方法。
【請求項８】  前記試料が血液試料であり、前記目標細胞が血液試料中の選択されたタイプのリンパ球であることを特徴とする請求項７に記載の方法。
【請求項９】  試料と混合された前記磁気粒子が磁気マイクロビーズの形であることを特徴とする請求項１に記載の方法。
【請求項１０】  前記磁界が予め決められた磁界強度を作るように制御されることを特徴とする請求項１に記載の方法。
【請求項１１】  試料中の目標粒子の濃縮、または目標粒子に関する試料の希薄化を作り出すために試料から選択されたタイプの目標粒子を磁気的に分離するための装置であって、その装置が：
チューブの入口端の緩衝液供給源から緩衝液をチューブの出口端に供給するためのチューブ；
前記目標粒子を磁気的に染色する選択的親和性を持つ磁気粒子と前記試料との試料混合物と緩衝液を、緩衝液がチューブを通して供給されるとき緩衝液が磁気的に染色された目標粒子のための連続液体キャリヤを形成するように、前記チューブ中に投入するための投入口；
磁気化ステーションにおいてチューブを横切って磁界を作り、そこで磁気的に染色された目標粒子を分離させて前記磁気化ステーションのチューブ内の緩衝液中に保持させるための磁界発生手段；及び
緩衝液及び目標粒子の希薄化された試料を受けるためのチューブの出口端に設けられた容器；
を含むことを特徴とする装置。
【請求項１２】  前記投入口が緩衝液供給源をチューブの入口端に連結する第一連結部と、試料混合物を前記緩衝液中にチューブの前記入口端と前記磁気化ステーションの間の位置で導入するための第二連結部を含むことを特徴とする請求項１１に記載の装置。
【請求項１３】  前記容器が緩衝液と試料混合物が前記チューブを通して前記容器に重力供給されるようにチューブの前記入口端の下に設けられていることを特徴とする請求項１１に記載の装置。
【請求項１４】  前記容器がチューブを通る緩衝液と試料混合物の供給を制御するために吸引源に連結されていることを特徴とする請求項１３に記載の装置。
【請求項１５】  前記チューブが前記チューブを通る緩衝液と試料混合物の供給を制御するためのポジチブポンプを含むことを特徴とする請求項１３に記載の装置。
【請求項１６】  前記装置が前記第一に述べた容器の代わりにチューブの出口端に設けられる第二容器を更に含み；磁界の適用及び前記試料混合物の緩衝液中への導入の両者が、チューブを通して供給される緩衝液が磁気的に染色された目標粒子を前記第二容器中にフラッシュアウトさせるように、停止可能であることを特徴とする請求項１１に記載の装置。
【請求項１７】  前記装置が前記チューブを通して供給される緩衝液中の空気の存在を検出するための空気泡センサ、前記チューブに供給される試料混合物中の空気の存在を検出するための空気泡センサ、及び空気泡の検出により前記緩衝液または試料混合物の流れを中断するための前記センサにより制御される制御器を更に含むことを特徴とする請求項１１に記載の装置。
【請求項１８】  前記磁界が磁石間の第一空気間隙、磁気化コアー素子間の第二空気間隙を含む閉鎖磁気回路を規定する磁気化コアー素子に取り付けられた磁石により作られること；前記チューブが前記空気間隙の両者を通過することを特徴とする請求項１１に記載の装置。
【請求項１９】  前記磁気化コアー素子がまた第三空気間隙を規定し、それを通して前記チューブがまた通過することを特徴とする請求項１８に記載の装置。
【請求項２０】  前記磁界発生手段が前記磁気化ステーションのチューブを横切る磁界の適用を停止するようにチューブの近くから物理的に可動な永久磁石を含むことを特徴とする請求項１１に記載の装置。
【請求項２１】  前記磁界発生手段が前記磁気化ステーションのチューブを横切る磁界の適用を停止するように電気的に脱印加可能である電磁石を含むことを特徴とする請求項１１に記載の装置。
【請求項２２】  更に予め決められた磁界強度を作るための磁気を制御するための制御システムを含むことを特徴とする請求項１１に記載の装置。
【誤訳訂正書】
【提出日】平成17年3月18日(2005.3.18)
【誤訳訂正１】
【訂正対象書類名】明細書
【訂正対象項目名】特許請求の範囲
【訂正方法】変更
【訂正の内容】
【特許請求の範囲】
【請求項１】
使用時に操作される部分の端である基端及び、同基端の反対における端である末端を備える細長い管に使用する固定装置であって、前記細長い管は内部に管腔が延びるシャフトと、前記シャフトの基端部の外周面に対して角度をもって接続される接続管とを備え、前記接続管がアクセスポートを有し、前記管腔は細長い部材を収容するようにされ、前記細長い部材の外側部分は前記接続管を介して前記アクセスポートの外側に延び、前記細長い部材の内側部分は前記管腔の内側に延び、前記固定装置は、
壁を有しほぼ硬質の本体部材と、
前記本体部材を前記細長い管の少なくとも接続管の近傍の位置に取り付けるための引っ掛け部材またはストラップと、
前記細長い部材の外側部分の少なくとも一部を前記本体部材に対して移動不能及び移動可能に固定するための固定手段とを備え、
前記固定手段は、前記細長い部材を収容するために前記本体部材の壁に開口部を備える固定装置であって、
前記本体部材は、シャフトの接続管の近傍の位置に取り付けられるとき、同接続管と平行に延び、かつ前記固定手段がアクセスポートに近接するように設けられることを特徴とする固定装置。
【請求項２】
前記細長い部材はガイドワイヤである請求項１に記載の固定装置。
【請求項３】
前記開口部はＪ型であり、固定スロットを有する請求項２に記載の固定装置。
【請求項４】
前記固定スロットの寸法は前記ガイドワイヤの外側部分と比較して小さく、前記ガイドワイヤを前記固定スロットに摩擦によりはめ込むことができるようになっている請求項３に記載の固定装置。
【請求項５】
前記細長い部材はカテーテルである、請求項１に記載の固定装置。
【請求項６】
前記開口部はブーツ型であり固定スロットを有する、請求項５に記載の固定装置。
【請求項７】
前記固定スロットの寸法は前記カテーテルの外側部分と比較して小さく、前記カテーテルを前記固定スロットに摩擦によりはめ込むことができるようになっている請求項６に記載の固定装置。
【請求項８】
前記細長い管の基端及び末端に対応する基端及び末端を備える前記カテーテルは、ガイドワイヤを収容する管腔部と、外部に連通し、前記管腔部から前記ガイドワイヤを取り出し得るチャネルとを有し、前記管腔部はカテーテル内部を長手方向に延び、前記チャネルが管腔部内において、前記カテーテルの基端側の端壁に対して間隔を置いて末端側に形成されることを特徴とするカテーテルである請求項５に記載の固定装置。
【請求項９】
前記細長い管は内視鏡である請求項１に記載の固定装置。
【請求項１０】
前記細長い管はガイドカテーテルである請求項１に記載の固定装置。
【請求項１１】
前記シャフトは基端および末端を有し、前記アクセスポートは、前記シャフトの基端よりも末端側の位置で前記シャフトの側壁を通って前記シャフトの管腔に通じ、アクセスポート開口部は前記シャフトからシャフト方向に離間しており、かつ接続管を介して前記シャフトの管腔と液体の行き来が可能であるように連絡し、ここで前記接続管は前記シャフトから斜めに延びる請求項１に記載の固定装置。
【請求項１２】
前記取付手段は、前記シャフト周囲の少なくとも中途まで延びる少なくとも１つの引っ掛け部材を備える請求項１１に記載の固定装置。
【請求項１３】
前記本体部材は、少なくとも１つの引っ掛け部材から前記アクセスポート開口部に隣接する位置まで延び、前記固定手段は前記アクセスポート開口部に隣接して配置される請求項１２に記載の固定装置。
【請求項１４】
別の細長い部材を収容するために、前記本体部材に別の開口部を備えた別の固定手段をさらに備える請求項１に記載の固定装置。
【誤訳訂正２】
【訂正対象書類名】明細書
【訂正対象項目名】００１２
【訂正方法】変更
【訂正の内容】
【００１２】
別の例示的な実施態様では、固定装置は、側面ポートを有する内視鏡について使用されるように適合される。側面ポートは、１つまたは複数の管腔と液体の行き来が可能であるよう連絡しており、ガイドワイヤまたはカテーテルを収容することができる。この実施態様では、固定装置は、本体部材、取付機構、および固定機構を備える。取付機構は、好ましくは、内視鏡のメインシャフトに側面ポート付近で係合する１つまたは複数の引っ掛け部材を備える。これらの引っ掛け部材は、固定装置を内視鏡メインシャフトに留めるか、または固定するのに役立つ。本体部材は、概ね側面ポートと平行に複数の引っ掛け部材から延びる。好ましくは本体部材の開口部である固定機構は、好ましくは、本体部材の末端付近に、かつ内視鏡の側面ポート開口部に隣接して配置される。一旦ガイドワイヤまたはカテーテルを体腔内の所望の位置に配置すると、内視鏡の側面ポートの外側に延びるガイドワイヤまたはカテーテルの基端部を、固定装置の開口部に移動させ、そこに摩擦によりはめ込むことができる。好ましい実施態様では、開口部は、上記のように入口スロットおよび固定スロットを備える。
【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】  さまざまな処理ステーションを有する容器形成機内に配置され、巻付けマンドレルを前記さまざまな処理ステーション間で移動させる移動構体へ取り付けられた巻付けマンドレルと、ブランクを該巻付けマンドレル上へ供給する部材とを含み、さらに、該巻付けマンドレルの長手方向の軸を通る水平断面において密閉構造を形成するために前記ブランクを該巻付けマンドレルに巻き付ける部材を有する容器形成装置において、前記巻付けマンドレルは、該巻付けマンドレルの周囲に分布する吸引開口部を有し、該開口部は空気ダクトに連結され、前記ブランクを、吸引の助けを借りて前記巻付けマンドレルの周りに巻き付けるようにすることを特徴とする容器形成装置。
【請求項２】  請求項１に記載の装置において、前記ブランクを供給する供給部材は押し板から成り、該押し板は前後に動き、前進移動によって前記ブランクの一つの端部から前記ブランクを前記巻付けマンドレルの外面に押し付けることを特徴とする容器形成装置。
【請求項３】  請求項１または２に記載の装置において、該装置は締着部材を有し、該締着部材は、前記巻付けマンドレルに巻き付けられる前記ブランクに外面の方向から作用して、前記ブランクを前記巻付けマンドレルの外面に、より近接して巻き付けるようにすることを特徴とする容器形成装置。
【請求項４】  請求項３に記載の装置において、前記締着部材は締着部品から成り、該締着部品は、前記巻付け用マンドレルの周囲の一定の軌道を回ることを特徴とする容器形成装置。
【請求項５】  請求項３に記載の装置において、前記締着部材は、前記巻付けマンドレルの周囲に配設され前記ブランクの外面に向けられる空気吹当て手段から成ることを特徴とする容器形成装置。
【請求項６】  請求項２および４のいずれかに記載の装置において、前記押し板内には切り欠き部があり、前記巻付けマンドレルを旋回する前記締着部品は該切り欠き部を通って、前記ブランクの外面に押し当たることを特徴とする容器形成装置。
【請求項７】  請求項２または６に記載の装置において、前記押し板の前面は、前記巻付けマンドレルの外面および前記ブランクとの接触点にあり、該前面は、前記巻付けマンドレルの外面の曲状に合致する凹形押付け面であり、前記巻付けマンドレルの外面は、該押付け面に押し付けられることを特徴とする容器形成装置。
【請求項８】  請求項１から７までのいずれかに記載の装置において、前記空気ダクトは吸引部材と連通しており、該吸引部材は、前記巻付けマンドレルを移動させる構体に対して固定され、該吸引部材内には前記吸引と連通する吸引チャンバがあり、該吸引チャンバは、前記巻付けマンドレルが前記巻付けステーションで停止したときに、前記空気ダクトと前記吸引チャンバとが連通するように、該装置内に位置することを特徴とする容器形成装置。
【請求項９】  請求項８に記載の装置において、前記吸引部材には他の吸引チャンバがあり、該吸引チャンバは、前記巻付けマンドレルが前記巻付けステーションの後ろの側壁封緘ステーションで停止したときに、前記空気ダクトと前記第２の吸引チャンバとが連通するように該装置内に位置することを特徴とする容器形成装置。
【請求項１０】  請求項９に記載の装置において、前記第１の吸引チャンバおよび第２の吸引チャンバにおいてさまざまな規模の負圧を発生させるために、該装置は調整部材を有することを特徴とする容器形成装置。
【請求項１１】  請求項１から10までのいずれかに記載の装置において、前記巻付けマンドレルを移動させる構体は移送台などの板状構体であり、その表面に前記巻付けマンドレルが、該表面から立ち上がるように配置されていることを特徴とする容器形成装置。
【請求項１２】  請求項８または11に記載の装置において、前記吸引部材は、前記板状構体の表面に押し付けられ、該表面は、前記巻付けマンドレルに関して前記板の反対側にあり、それによって前記空気ダクトは前記板状構体の中を通って、前記吸引部材の吸引チャンバと連通することを特徴とする容器形成装置。
【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  表面が被覆され、かつ接着性を増進する形状的特徴を周縁領域に有するポリカーボネート成形体、及びその成形体の周縁領域のまわりにポリマーを射出又は注型成形することによって得られるポリマーを含む複合構造材。
【請求項２】  表面が被覆され、かつ接着性を増進する形状的特徴を周縁領域に有するポリカーボネート成形体及びポリマーを含む複合構造材の、該成形体の周縁領域のまわりに材料を射出又は注型成形することによる製造法。
【請求項３】  請求項１又は２に記載の複合材から得られる製品。
【請求項４】  請求項１又は２に記載の複合材から得られる自動車用窓。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  超音波要素のための非ノード型装着システム（１４）において、
装着ハウジング（１６）と前記超音波要素とのいずれか一方に回転可能に接続できる駆動リング（２２）と、
前記超音波要素に固定できる内側部分と、前記駆動リング（２２）に固定できる外側部分とを有する可撓性部材（２４）であって、該駆動リングへ伝達される力を減ずるための手段を備える可撓性部材と、
を具備することを特徴とする非ノード型装着システム。
【請求項２】  前記駆動リングへ伝達される前記力を減ずるための前記手段は、該力を減ずる形状を有する複数のフィンガ（３０）を具備する、請求項１に記載の非ノード型装着システム。
【請求項３】  前記複数のフィンガの各々は、長くかつ細く、２〜１０の長さ／幅比と、２〜２０の幅／厚さ比とを有する、請求項２に記載の非ノード型装着システム。
【請求項４】  前記可撓性部材は、前記複数のフィンガによって互いに接続される半径方向内側部分の内側環状リング（２６）と半径方向外側部分の外側環状リング（２８）とをさらに具備する、請求項２に記載の非ノード型装着システム。
【請求項５】  前記可撓性部材がディスクである請求項４に記載の非ノード型装着システムであって、該ディスクの前記内側環状リングに接続される内側クランプリング（１８）と、該ディスクの前記外側環状リングに接続される外側クランプリング（２０）とをさらに具備する、請求項４に記載の非ノード型装着システム。
【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】  下記を含んで成る群から選択された修飾（BASBPN番号）を少なくとも１個含む、洗剤中で改善された洗濯性能を有するサブチラーゼ酵素変異体：
252L+255I
252V+255A
252M+255C+259H
252S+255E+259C
252K+255S+259C；又は
前述の変異体のいずれかにおいて1 個以上の保存的修飾を含む変異体（例えば、252L（疎水性アミノ酸)+255I変異体の保存的修飾には、252I（疎水性アミノ酸)+255I、及び252V（疎水性アミノ酸)+255Iのような変異体が含まれる。）。
【請求項２】  前記修飾（BASBPN番号）が下記の群から選択される、請求項１記載のサブチラーゼ酵素変異体：
N252L+T255I
N252V+T255A
N252M+T255C+S259H
N252S+T255E+S259C
N252K+T255S+S259C ；又は
前述の変異体のいずれかにおいて1 個以上の保存的修飾を含む変異体（例えば、N252L(疎水性アミノ酸)+T255I 変異体の保存的修飾は、N252I(疎水性アミノ酸)+T255I 、及びN252V(疎水性アミノ酸)+T255I のような変異体を含む。）。
【請求項３】  前記親サブチラーゼがサブグループI-S1から選択される、請求項１または２項記載の変異体。
【請求項４】  前記親サブチラーゼが、ABSS168 、BASBPN、BSSDY 、及びBLSCAR、又はサブグループI-S1の特徴を保持しているそれらの機能的変異体からなる群から選択される、請求項３記載の変異体。
【請求項５】  前記親サブチラーゼがサブグループI-S2から選択される、請求項１または２項記載の変異体。
【請求項６】  前記親サブチラーゼが、BLS147、BLS309、BAPB92、TVTHER及びBYSYAB、又はサブグループI-S2の特徴を保持しているそれらの機能的変異体からなる群から選択される、請求項５記載の変異体。
【請求項７】  前述の修飾がいずれか他の位置において１個以上の修飾と組合せられる、請求項１〜６のいずれか１項記載の変異体。
【請求項８】  前述の修飾が、位置27、36、57、76、97、101 、104 、120、123 、167 、170 、206 、218 、222 、224 、235 及び274 の１個以上における修飾と組合せられる、請求項７記載の変異体。
【請求項９】  前記サブチラーゼがI-S2サブグループに属し、かつ前述の更なる変化が、K27R、*36D、S57P、N76D、G97N、S101G 、V104A 、V104N 、V104Y 、H120D 、N123S 、Y167A 、Y167I 、R170S 、R170L 、R170N 、Q206E 、N218S 、M222S 、M222A 、T224S 、K235L 、及びT274A からなる群から選択される、請求項８記載の変異体。
【請求項１０】  変異体V104N+S101G 、K27R+Vl04Y+N123S+T274A、もしくはN76D+V104A、又は他のこれらの突然変異の組合せ（V104N 、S101G 、K27R、V104Y 、N123S 、T274A 、N76D、V104A ）を、請求項１〜９のいずれか1 項記載の１個以上の置換、欠失及び／又は挿入のいずれかと組合せて含む、請求項９記載の変異体。
【請求項１１】  前記修飾が、位置129 、131 、133 及び194 のいずれか１個以上の修飾と組合せられる、請求項１〜10のいずれか1 項記載のサブチラーゼ変異体。
【請求項１２】  前記サブチラーゼがI-S2サブグループに属し、かつ更なる変化がP129K 、P131H 、A133P 、A133D 及びA194P からなる群から選択される、請求項11記載の変異体。
【請求項１３】  請求項１〜12のいずれか１項記載のサブチラーゼ変異体をコードしている、単離されたDNA 配列。
【請求項１４】  請求項13記載の単離されたDNA 配列を含む発現ベクター。
【請求項１５】  請求項14記載の発現ベクターで形質転換された、微生物宿主細胞。
【請求項１６】  細菌である、好ましくはバシラス(Bacillus)、特にB.レンタス(B. lentus) である、請求項15記載の微生物宿主。
【請求項１７】  真菌又は酵母である、好ましくは糸状菌、特にアスペルギルス(Aspergillus) である、請求項15記載の微生物宿主。
【請求項１８】  請求項15〜17のいずれか１項記載の宿主を、該変異体の発現及び分泌を行う条件下で培養し、かつ該変異体を回収する、請求項１〜12のいずれか1 項記載の変異体を産生する方法。
【請求項１９】  請求項１〜12のいずれか１項記載のサブチラーゼ変異体を含んで成る組成物。
【請求項２０】  更に、セルラーゼ、リパーゼ、クチナーゼ、オキシドレダクターゼ、他のプロテアーゼ又はアミラーゼを含んで成る、請求項19記載の組成物。
【請求項２１】  前記組成物が洗剤組成物である、請求項19又は20記載の組成物。
【請求項２２】  洗濯及び／又は皿洗い用洗剤中における、請求項１〜12のいずれか１項記載のサブチラーゼ変異体、又は請求項19〜21のいずれか１項記載の酵素組成物の使用。
【請求項２３】  洗剤中において改善された洗濯性能を発揮するプロテアーゼ変異体の同定の方法であって；
下記のアミノ酸に対応する１個以上の位置（BASBPN番号）でサブチラーゼ酵素又はそのプレ- もしくはプレプロ- 酵素をコードしているDNA において突然変異を生じる工程：
N252L+T255I
N252V+T255A
N252M+T255C+S259H
N252S+T255E+S259C
N252K+T255S+S259C ；又は
前述のいずれかの変異体における１個以上の保存的修飾を有する変異体；
前記突然変異したDNA でバシラス(Bacillus)株を形質転換する工程；
このようなプロテアーゼ変異体を産生する株を選択する工程；
このような株を発酵／増殖する工程；
前述のプロテアーゼ変異体を回収する工程；及び
洗剤中における改善された洗濯性能を試験する工程を含む、方法。
【手続補正書】
【提出日】平成18年4月10日(2006.4.10)
【手続補正１】
【補正対象書類名】明細書
【補正対象項目名】特許請求の範囲
【補正方法】変更
【補正の内容】
【特許請求の範囲】
【請求項１】  骨髄吸引懸濁物から複合骨移植片を調製するためのキットであって、以下：
（ａ）多孔性で、生体適合性で、移植可能な基材であって、血小板濃縮物を該基材に通過させることによって取得可能である血小板を、該基材の表面上に有する、基材；および
（ｂ）該基材を支持するための容器であって、該容器は、該基材を維持し該骨髄吸引懸濁物が流れることを可能にするように配置され、かつ、内部表面および２つの末端を有し、該末端は各々開口部を規定する、容器
備える、キット。
【請求項２】  前記血小板濃縮物が、抗凝固剤を含む、請求項１に記載のキット。
【請求項３】  前記血小板凝集物が、単離された血小板濃縮物である、請求項１に記載のキット。
【請求項４】  請求項１〜３のいずれか1項に記載のキットであって、結合組織前駆細胞または血小板の表面上で発現された表面抗原に結合する抗体をさらに備え、ここで該当抗体が、該基材の接触可能な表面に結合している、キット。
【請求項５】  請求項４に記載のキットであって、ここで、前記抗体が、ＳＴＲＯ−１、ＳＨ−２、ＳＨ−３、ＳＨ−４、ＳＢ−１０、ＳＢ−２０およびアルカリホスファターゼに対する抗体からなる群より選択される、キット。
【請求項６】  
前記基材が無菌である、請求項１〜５のいずれか１項に記載のキット。
【請求項７】  さらに、
前記基材を通過する前記骨髄吸引懸濁物の流速を調節するための、前記容器の一方の末端に取り付け可能な流量調節器、
を備える、請求項１〜６のいずれか１項に記載のキット。
【請求項８】  さらに
（ａ）前記骨髄吸引懸濁物を支持するためのリザーバ；および
（ｂ）該リザーバから前記容器への該骨髄吸引懸濁物の流れを調節するための該リザーバに取り付け可能な流量調節器、
を備える、請求項１〜６のいずれか１項に記載のキット。
【請求項９】  さらに、
前記容器からの前記骨髄吸引懸濁物の流出物を受けるための流出物レシーバ、を備える、請求項１〜８のいずれか１項に記載のキット。
【請求項１０】  前記基材が外部寸法を有し、そして該外部寸法と同一の外部寸法を有する固体物体の表面積よりも少なくとも５倍広い接触可能な総表面積を有する、請求項１〜９のいずれか１項に記載のキット。
【請求項１１】  前記基材が、リン酸カルシウムまたは生体ガラスを含むセラミックから形成される、請求項１〜１０のいずれか１項に記載のキット。
【請求項１２】  前記基材が、コラーゲン、鉱化骨および脱鉱化骨からなる群より選択される材料から形成される、請求項１〜１０のいずれか１項に記載のキット。
【請求項１３】  前記基材が、ヒアルロン酸または合成生体高分子から形成される、請求項１〜１０のいずれか１項に記載のキット。
【請求項１４】  前記基材が、合成生体高分子から形成される、請求項１〜１０のいずれか１項に記載のキット。
【請求項１５】  前記基材が、ヒアルロン酸から形成される、請求項１〜１０のいずれか１項に記載のキット。
【請求項１６】  前記基材がその表面に結合した細胞接着分子を含む、請求項１〜１５のいずれか１項に記載のキット。
【請求項１７】  前記基材がその表面に結合した増殖因子を含む、請求項１〜１５のいずれか１項に記載のキット。
【請求項１８】  前記基材が４０μｍより大きな直径を有する孔または通路を有する、請求項１〜１７のいずれか１項に記載のキット。
【請求項１９】  前記容器がさらに、該容器内に前記基材を保持するための多孔性部材を備える、請求項１〜１８のいずれか１項に記載のキット。
【請求項２０】  前記容器が生体適合性の材料から作製される、請求項１〜１９のいずれか１項に記載のキット。
【請求項２１】  以下：
（ａ）多孔性で、生体適合性で、移植可能な基材であって、その表面に血小板を有している、基材；
（ｂ）有核骨髄細胞の異種集団；および
（ｃ）結合組織の前駆細胞の富化集団、
を含む、複合骨髄移植片。
【請求項２２】  請求項２１に記載の複合骨髄移植片であって、前記基材が、その表面上に、血小板濃縮物を該基材に通過させることによって取得可能である血小板を有する、複合骨髄移植片。
【請求項２３】  前記血小板濃縮物が、抗凝固剤を含む、請求項２２に記載の複合骨髄移植片。
【請求項２４】  前記血小板凝集物が、単離された血小板濃縮物である、請求項２２に記載の複合骨髄移植片。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  生物学的流体を光で処理するための装置であって、
少なくとも２対の対向する、反射壁によって規定される光チャンバであって、ここで、該壁の対の各々が複合した放物線状の曲線を実質的に規定する、光チャンバ；
該チャンバ内に配置された高強度光源；および
該光チャンバの外側にある流体処理領域であって、該流体処理領域が、ある量の生物学的流体を保持するように適合された、領域、
を備える、装置。
【請求項２】  前記装置が、前記流体処理領域内に生物学的流体の少なくとも１つの可撓性の容器を保持するように適合された、請求項１に記載の装置。
【請求項３】  前記光源が、少なくとも８０ｍＷ／ｃｍ２の強度を有する光を提供する、請求項１に記載の装置。
【請求項４】  前記光源が、５７０ｎｍと６９０ｎｍとの間の波長を有するその光の少なくとも一部を放射する、請求項１に記載の装置。
【請求項５】  前記光源が、高圧ナトリウム光源を備える、請求項１に記載の装置。
【請求項６】  前記生物学的流体に接触する光の量を測定するためのセンサをさらに備える、請求項１に記載の装置。
【請求項７】  前記光源および前記反射壁表面から直接由来する、前記生物学的流体と接触する光の量が、選択された最小値であるか、またはそれより上であることを確実にするための制御系をさらに備える、請求項１に記載の装置。
【請求項８】  生物学的流体中の汚染物質を実質的に不活化するための方法であって、
ある量の生物学的流体を提供する工程；
該生物学的流体を選択された量のフェノチアジン色素と合わせる工程であって、それによって該フェノチアジン色素の濃度が約２〜４μＭである、工程；および
生物学的流体とフェノチアジン色素との該混合物を約３０ｍＷ／ｃｍ２より強い高強度の光と接触させる工程、
を包含する、方法。
【請求項９】  前記フェノチアジン色素が、メチレンブルーを含む、請求項８に記載の方法。
【請求項１０】  前記混合物を５分間以内の時間接触させる工程を包含する、請求項８に記載の方法。
【請求項１１】  前記光源が、高圧ナトリウム光源を備える、請求項８に記載の方法。
【請求項１２】  前記混合物を３５Ｊ／ｃｍ２〜５０Ｊ／ｃｍ２の間の量の光と接触させる工程をさらに包含する、請求項８に記載の方法。
【請求項１３】  前記生物学的流体が、実質的に赤血球を含まない血漿を含む、請求項８に記載の方法。
【請求項１４】  前記接触する工程の後に、前記血漿が、汚染物質を実質的に含まず、そしてその元々のフィブリノーゲン、第ＶＩＩＩ因子、および第ＸＩ因子の少なくとも６０％を含む、請求項１３に記載の方法。
【請求項１５】  生物学的流体中の汚染物質を不活化するための装置であって、
約５５０〜７００ｎｍの波長範囲において約８０〜１５０ｍＷ／ｃｍ２の強度を有する光を提供するための第１の高強度光源；
約５５０〜７００ｎｍの波長範囲において約８０〜１５０ｍＷ／ｃｍ２の強度を有する光を提供するための第２の高強度光源；および
該第１の光源と該第２の光源との間に配置された流体処理領域であって、ここで、該光源の各々は、該波長範囲の光を実質的に透過するが、選択された望ましくない光を実質的に透過しないウィンドウにより該流体処理領域から分離されている、流体処理領域、
を備える、装置。
【請求項１６】  前記光源の各々が、高圧ナトリウム光源を含む、請求項１５に記載の装置。
【請求項１７】  前記流体処理領域内の温度をモニタリングするためのセンサをさらに備える、請求項１５に記載の装置。
【請求項１８】  前記生物学的流体に接触させる有用なエネルギーのレベルをモニタリングするためのセンサをさらに備える、請求項１５に記載の装置。
【請求項１９】  請求項１８に記載の装置であって、前記生物学的流体に接触させる前記有用なエネルギーのレベルが、約２０ジュール／ｃｍ２と５０ジュール／ｃｍ２との間であることを確実にするための、前記センサおよび前記光源に作動可能に連結した制御系、をさらに備える、装置。
【請求項２０】  請求項１５に記載の装置であって、前記生物学的流体のプラスチック容器を保持するためのトレイをさらに備え、該トレイが前記流体処理領域への、および該流体処理領域からの移動に適合している、装置。
【請求項２１】  前記第１および第２の光源の各々が、光チャンバ内に格納されている、請求項１５に記載の装置。
【請求項２２】  前記光チャンバの内側が、反射材料から構成される、請求項２１に記載の装置。
【請求項２３】  前記チャンバの内側が、少なくとも２対の対向する、壁によって規定され、該壁の対の各々が複合した放物線状の曲線を実質的に規定する、請求項２２に記載の装置。
【請求項２４】  前記望ましくない光が、赤外光の範囲の光を含む、請求項１５に記載の装置。
【請求項２５】  前記流体と接触する赤外光の量を減少させるためのフィルターをさらに備える、請求項２４に記載の装置。
【請求項２６】  請求項２４に記載の装置であって、前記ウィンドウの少なくとも一部が、前記流体と接触する望ましくない光の量を減少し得る物質で処理されている、装置。
【請求項２７】  前記ウィンドウの少なくとも一部が、前記流体との接触から望ましくない光の量を減少する物質の物理的蒸着によって処理されている、請求項２４に記載の装置。
【請求項２８】  前記光源が、約８０〜１５０ｍＷ／ｃｍ２の間の強度の光を提供する、請求項１に記載の装置。
【請求項２９】  前記光の強度が、約８０〜１５０ｍＷ／ｃｍ２の間である、請求項９に記載の方法。
【手続補正書】
【提出日】平成18年2月24日(2006.2.24)
【手続補正１】
【補正対象書類名】明細書
【補正対象項目名】００１０
【補正方法】変更
【補正の内容】
【００１０】
一般配列Ｈｉｓ-Ｘ１-Ｈｉｓ-Ｘ２-Ｘ３-Ｘ４-Ｃｙｓ-Ｘ５-Ｘ６-Ｃｙｓは、配列番号１に相当し、その際、Ｘ１は配列番号１の位置２に示されたアミノ酸Xaaに相当し、そしてＸ２は位置４のXaaに相当し、Ｘ３は位置５のXaaに相当し、Ｘ４は位置６のXaaに相当し、Ｘ５は位置８のXaaに相当し、かつＸ６は位置９のXaaに相当する。前記にＸ１〜Ｘ６について示されたアミノ酸は、配列番号１に示された相応するアミノ酸Xaaを表すことができる。
有利には、配列中の少なくとも１つの可変の基Ｘ１〜Ｘ６は、さらに相互に独立にLysまたはArgである。さらに有利には、可変の基Ｘ１〜Ｘ６に含有されているアミノ酸は、Glu、Lys、Arg、Tyr、Cys、Lys、His、AspまたはMetである。Cys、Glu、Lys、TyrまたはArgを含有、特に有利にはCysを含有しているのが有利である。これらのアミノ酸は、固定化金属イオンへのペプチド断片の有利な結合に役立つ。さらに、４個以下、有利には３個のヒスチジン基が配列中に連続的に含まれているのが有利である。
【手続補正２】
【補正対象書類名】明細書
【補正対象項目名】００１６
【補正方法】変更
【補正の内容】
【００１６】
前記の配列は、各々、配列番号２、配列番号３、配列番号４及び配列番号５に相当する。
上記のタンパク質断片配列は、本発明による核酸断片によりコード化されている。この際に、縮重遺伝子コードを考慮しなければならない。本発明による核酸断片は、原則的に任意の核酸を含有することができる。有利には、核酸断片は、本発明による融合タンパク質をコードする相補の核酸配列（＝遺伝子構文）を製造することを可能にするような方法でベクター中に挿入される。これらの遺伝子構文は、発現するために、有利には融合タンパク質の最適な発現を可能にする適当な宿主生物に調節される。適当なベクターは、当業者に非常に周知であり、かつ本Cloning Vectors（Eds. Pouwels P. H. et al. Elsevier, Amsterdam- New York- Oxford, 1985, ISBN 0444904018）に記載されている。プラスミドとは別に、ベクターとは、当業者に公知のその他全てのベクター、例えばファージ、ウイルス、トランスポゾン、ISエレメント、プラスミド、コスミド、線状または環状DNAを意味する。これらのベクターは、宿主生物中で自律的複製または染色体複製を行うことができる。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】
以下のステップ：
（１）水性培地にウリジン（５’−）二リン酸（ＵＤＰ）−Ｎ−アセチルムラミルペンタペプチド、放射標識したＵＤＰ−Ｎ−アセチルグルコサミン、二価金属イオン、ウンデカプレニルリン酸、ペプチドグリカン、トランスロカーゼ、トランスフェラーゼ、トランスグリコシラーゼ、トランスペプチダーゼおよび脂質ピロホスホリラーゼを含む反応混合物を、ペプチドグリカン合成に適切な条件下でインキュベートする；
（２）ステップ（１）の反応混合物にペプチドグリカン合成を終結するために二価金属イオンキレート化合物を添加する；
（３）ステップ（２）の反応混合物に蛍光物質で含浸したレクチン被覆ビーズを添加する：ここで、該ビーズはレクチン被覆をへて、ステップ（１）で形成されたペプチドグリカンの放射標識されたＵＤＰ−Ｎ−アセチルグルコサミンに結合する；そして
（４）蛍光物質に接近して結合した放射標識されたペプチドグリカンからの放射エネルギーによる活性化の結果として該蛍光物質により放出された光エネルギーを測定する：ここで、該光エネルギーはステップ（１）で形成された放射標識されたペプチドグリカンの存在を示す；
を含むペプチドグリカン合成検出のためのアッセイ。
【請求項２】
ＵＤＰ−Ｎ−アセチルムラミルペンタペプチドがＵＤＰ−ＭｕｒＮＡｃ−Ｌ−アラニン−γ−Ｄ−グルタミン酸−ｍ−ジアミノピメリン酸−Ｄ−アラニン−Ｄ−アラニンである請求項１に記載のアッセイ。
【請求項３】
細菌細胞膜がウンデカプレニルリン酸、ペプチドグリカン、トランスロカーゼ、トランスフェラーゼ、トランスグリコシラーゼ、トランスペプチダーゼおよび脂質ピロホスホリラーゼの１以上の源である請求項１または２に記載のアッセイ。
【請求項４】
細菌細胞膜が大腸菌由来である請求項３に記載のアッセイ。
【請求項５】
ステップ（１）の反応混合物が試験化合物を含む請求項１に記載のアッセイ。
【請求項６】
試験化合物が前記酵素の中の一つに対する拮抗剤である請求項５に記載のアッセイ。
【請求項７】
エチレンジアミン四酢酸をステップ（２）の二価金属イオンキレート化合物として使用する請求項１に記載のアッセイ。
【請求項８】
レクチン被覆ビーズが小麦胚芽凝集素を含む請求項１に記載のアッセイ。
【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項1】  核酸結合分子をその核酸分子の結合部位に結合させる段階、
該核酸分子の非保護領域を材料で被覆する段階、及び
該核酸分子から該核酸結合分子を除去する段階
を含む、核酸分子の領域をマスクする方法。
【請求項2】  前記核酸分子がDNAである請求項1記載の方法。
【請求項3】  前記核酸分子がRNAである請求項1記載の方法。
【請求項4】  前記核酸結合分子が、転写及び翻訳のアクチベーター、修復酵素、ヒストン、リガーゼ、および制限ヌクレアーゼからなる群より選択される、請求項1記載の方法。
【請求項5】  一つ以上のタイプの核酸結合分子がその核酸分子に結合する請求項1記載の方法。
【請求項6】  核酸分子の鋳型を得る段階、
核酸結合分子を用いて該鋳型の一つの領域または複数の領域を保護する段階、
該核酸分子の非保護領域を第1材料で被覆する段階、
該核酸結合分子を除去する段階、および
該核酸分子の非保護非被覆領域を、該第1材料とは異なる第2材料で被覆して回路素子を形成する段階
を含む、鋳型として核酸分子を用いて回路素子を製造する方法。
【請求項7】  前記核酸分子がDNAである請求項6記載の方法。
【請求項8】  前記核酸分子がRNAである請求項6記載の方法。
【請求項9】  前記核酸結合分子が、転写及び翻訳のアクチベーター、修復酵素、ヒストン、リガーゼ、および制限ヌクレアーゼからなる群より選択される、請求項6記載の方法。
【請求項10】  前記第1材料が導電性材料または絶縁性材料である請求項6記載の方法。
【請求項11】  前記導電性材料または絶縁性材料が金属である請求項10記載の方法。
【請求項12】  前記金属が銀または金である請求項11記載の方法。
【請求項13】  前記第1材料が、電気的にドープした導電性材料である、請求項6記載の方法。
【請求項14】  前記第2材料が導電性材料または絶縁性材料である請求項6記載の方法。
【請求項15】  前記核酸結合分子を除去する段階が、塩濃度を高くすることによって行われる、請求項6記載の方法。
【請求項16】  前記核酸結合分子を除去する段階が、温度を上昇させることによって行われる、請求項6記載の方法。
【請求項17】  前記核酸結合分子を除去する段階が、核酸分子の結合部位に対する核酸結合分子の親和性を小さくさせるコファクターを添加することによってまたは除去することによって行われる、請求項6記載の方法。
【請求項18】  前記核酸結合分子を除去する段階が、核酸結合部位の競合剤を添加することによって行われる、請求項6記載の方法。
【請求項19】  前記回路素子がレジスタである請求項6記載の方法。
【請求項20】  前記回路素子がトランジスタである請求項6記載の方法。
【請求項21】  前記回路素子がキャパシタである請求項6記載の方法。
【請求項22】  DNAの鋳型またはその一部分を回路素子から崩壊または除去する段階をさらに含む請求項6記載の方法。
【請求項23】  前記崩壊または除去する段階が電離放射線を用いて行われる請求項22記載の方法。
【請求項24】  前記崩壊または除去する段階が酸化剤を用いて行われる請求項22記載の方法。
【請求項25】  前記崩壊または除去する段階がヌクレアーゼを用いて行われる請求項22記載の方法。
【請求項26】  核酸分子の鋳型を得る段階が、
オリゴヌクレオチド成分を合成する段階、及び
該オリゴヌクレオチド成分をアニーリングする段階
をさらに含む、請求項6記載の方法。
【請求項27】  オリゴヌクレオチド成分を合成する段階が鋳型をPCR増幅することによって行われる、請求項26記載の方法。
【請求項28】  オリゴヌクレオチド成分を合成する段階がオリゴヌクレオチドの化学的合成によって行われる、請求項26記載の方法。
【請求項29】  核酸の鋳型、
異なる材料で被覆された該鋳型にある二箇所またはそれ以上の箇所の領域
を含む回路素子。
【請求項30】  前記材料が導電性材料または絶縁性材料である請求項29記載の回路素子。
【請求項31】  核酸分子の鋳型を含むレジスタ。
【請求項32】  前記核酸の鋳型がDNAである請求項31記載のレジスタ。
【請求項33】  前記核酸の鋳型がRNAである請求項31記載のレジスタ。
【請求項34】  核酸分子の鋳型を含むキャパシタ。
【請求項35】  前記核酸の鋳型がDNAである請求項34記載のキャパシタ。
【請求項36】  前記核酸の鋳型がRNAである請求項34記載のキャパシタ。
【請求項37】  核酸分子の鋳型を含むインデューサ。
【請求項38】  前記核酸の鋳型がDNAである請求項37記載のインデューサ。
【請求項39】  前記核酸の鋳型がRNAである請求項37記載のインデューサ。
【請求項40】  ヒストン様タンパク質をさらに含む請求項37記載のインデューサ。
【請求項41】  核酸分子の鋳型を含むトランジスタ。
【請求項42】  前記核酸の鋳型がDNAである請求項41記載のトランジスタ。
【請求項43】  前記核酸の鋳型がRNAである請求項41記載のトランジスタ。
【請求項44】  半導体を核酸分子に適用する段階を含む、回路素子を形成する方法。
【請求項45】  前記半導体が固体状の色素である請求項44記載の方法。
【請求項46】  前記色素がシアニン又はメロシアニンである請求項44記載の方法。
【請求項47】  核酸分子を除去する段階をさらに含む請求項44記載の方法。
【請求項48】  請求項44記載の方法によって得られる回路素子。
【請求項49】  核酸分子の鋳型を得る段階、
核酸結合分子を用いて該鋳型の一つの領域または複数の領域を保護する段階、
該核酸分子の非保護領域を第1材料で被覆する段階、
該核酸結合分子を除去する段階、および
該核酸分子の非保護非被覆領域を第2材料で被覆する段階
を含む、鋳型としての核酸分子を用いてナノースケールデバイスを製造する方法。
【請求項50】  前記核酸分子がDNAである請求項49記載の方法。
【請求項51】  前記核酸分子がRNAである請求項49記載の方法。
【請求項52】  前記核酸結合分子が、転写及び翻訳のアクチベーター、修復酵素、ヒストン、リガーゼ、および制限ヌクレアーゼからなる群より選択される、請求項49記載の方法。